(57)【要約】【課題】動画像の再生を一時的に中断することなく、また、動画像の視認性の低下を抑えつつ、サムネイル画像をユーザに提示することのできる録画再生装置を提供する【解決手段】本発明の一態様に係るレコーダ（１）は、録画部（２０１）によって録画される録画番組を複数の期間に分け、各期間に対応したサムネイル画像を生成するサムネイル画像生成部（２０２）と、放送番組を再生すると共に、再生中の録画番組に、サムネイル画像生成部（２０２）により生成されたサムネイル画像を重畳するする再生部（２０５）と、を備えている。【選択図】図１
2014096786.tif 000002
【特許請求の範囲】
【請求項１】
動画像を録画する録画手段と、
上記録画手段によって録画される動画像を複数の期間に分け、各期間に対応したサムネイル画像を生成するサムネイル画像生成手段と、
上記録画手段によって録画された動画像を再生する再生手段と、
上記再生手段によって再生中の動画像に、上記サムネイル画像生成手段により生成された上記サムネイル画像を重畳する重畳手段と、を備えている、
ことを特徴とする録画再生装置。
【請求項２】
上記サムネイル画像生成手段によって生成されたサムネイル画像の全部又は一部を時間順に配列したサムネイル一覧画像を生成する一覧画像生成手段をさらに備え、
上記重畳手段は、上記再生手段によって再生される動画像に、上記一覧画像生成手段により生成された上記サムネイル一覧画像を重畳する、
ことを特徴とする請求項１に記載の録画再生装置。
【請求項３】
上記重畳手段は、上記再生手段によって再生中の動画像に重畳される上記サムネイル一覧画像に含まれるサムネイル画像のうち、当該動画像の再生中の期間に対応したサムネイル画像を強調する、
ことを特徴とする請求項２に記載の録画再生装置。
【請求項４】
上記重畳手段が、Ｎ番目からＮ＋Ｍ番目までのＭ＋１枚（ＮおよびＭは１以上の整数）のサムネイル画像を時間順に配列した第１のサムネイル一覧画像を上記動画像に重畳している間に、上記一覧画像生成手段は、Ｎ＋１番目からＮ＋Ｍ＋１番目までのＭ＋１枚のサムネイル画像を時間順に配列した第２のサムネイル一覧画像、および、Ｎ−１番目からＭ番目までのＭ＋１枚のサムネイル画像を時間順に配列した第３のサムネイル一覧画像の何れか一方または両方を生成する、
ことを特徴とする請求項２または３に記載の録画再生装置。
【請求項５】
録画再生装置の録画再生方法であって、
動画像を録画する録画ステップと、
上記録画ステップにおいて録画される動画像を複数の期間に分け、各期間に対応したサムネイル画像を生成するサムネイル画像生成ステップと、
上記録画ステップにおいて録画された動画像を再生する再生ステップと、
上記再生ステップにおいて再生中の動画像に、上記サムネイル画像生成ステップにおいて生成された上記サムネイル画像を重畳する重畳ステップと、を含んでいる、
ことを特徴とする録画再生方法。
【発明の詳細な説明】
【技術分野】
【０００１】
本発明は、録画再生装置、および、録画再生装置の録画再生方法に関する。
【背景技術】
【０００２】
従来、放送番組などを録画する録画機能を有する録画再生装置において、録画済の放送番組（録画番組）を再生する場合、ユーザは、所望のシーンを再生するために、早送り又は巻き戻しなどの機能によって所望のシーンを探す必要があった。このため、所望のシーンの再生位置が、現在再生可能なシーンの再生位置と離れている場合には、所望のシーンを再生するまでに長い時間が必要となっていた。
【０００３】
このような問題に対し、録画番組のサムネイル画像を複数表示し、ユーザが所望のシーンに最も近いサムネイルを選択することによって、当該所望のシーンを再生可能にする技術が提案されてきている。
【０００４】
例えば、特許文献１には、表示画面における録画番組を表示する領域と異なる領域に複数のサムネイル画像を表示し、ユーザによって選択されたサムネイル画像に関連する録画番組の再生を開始する技術が開示されている。
【０００５】
また、特許文献２には、再生中の録画番組を表示画面の主画面に表示すると共に、所望のシーンを検索する際のインデックスとなるサムネイル画像を表示画面の主画面と異なる画面に複数表示するという技術が開示されている。
【先行技術文献】
【特許文献】
【０００６】
【特許文献１】特開２０１１−２０５２１７号公報（２０１１年１０月１３日公開）
【特許文献２】特開２００４−０７２７２７号公報（２００４年３月４日公開）
【発明の概要】
【発明が解決しようとする課題】
【０００７】
しかし、特許文献１および２に記載の技術は、何れも、サムネイル画像を表示するためには、録画番組を表示領域全体に表示している状態から、表示領域を録画番組用とサムネイル画像用とに分割した状態へ遷移する必要がある。このため、録画番組を表示領域全体に表示している状態から、表示領域を録画番組用とサムネイル画像用とに分割した状態へ遷移する際に、録画番組の再生が一時的に中断されるという問題があった。
【０００８】
また、特許文献１および２に記載の技術のように、録画番組とサムネイル画像とが表示領域における異なる領域に同時に表示される画面では、録画番組の表示サイズを通常のサイズ（表示領域全体のサイズ）よりも縮小しなければならない。このため、特許文献１および２に記載の技術では、録画番組を通常のサイズで表示することができず、再生中の録画番組の視認性の低下を招くという問題があった。
【０００９】
本発明は、上記の課題を解決するためになされたものであり、その目的は、動画像の再生を一時的に中断することなく、また、動画像の視認性の低下を抑えつつ、サムネイル画像をユーザに提示することのできる録画再生装置を提供することにある。
【課題を解決するための手段】
【００１０】
本発明の一態様に係る録画再生装置は、上記の課題を解決するために、動画像を録画する録画手段と、上記録画手段によって録画される動画像を複数の期間に分け、各期間に対応したサムネイル画像を生成するサムネイル画像生成手段と、上記録画手段によって録画された動画像を再生する再生手段と、上記再生手段によって再生中の動画像に、上記サムネイル画像生成手段により生成された上記サムネイル画像を重畳する重畳手段と、を備えている。
【００１１】
また、本発明の一態様に係る録画再生装置の録画再生方法は、上記の課題を解決するために、録画再生装置の録画再生方法であって、動画像を録画する録画ステップと、上記録画ステップにおいて録画される動画像を複数の期間に分け、各期間に対応したサムネイル画像を生成するサムネイル画像生成ステップと、上記録画ステップにおいて録画された動画像を再生する再生ステップと、上記再生ステップにおいて再生中の動画像に、上記サムネイル画像生成ステップにおいて生成された上記サムネイル画像を重畳する重畳ステップと、を含んでいる。
【発明の効果】
【００１２】
上記の構成によれば、上記録画再生装置は、動画像の再生を一時的に中断することなく、動画像の視認性の低下を抑えつつ、サムネイル画像を表示することができる。
【図面の簡単な説明】
【００１３】
【図１】本発明の一実施形態に係るレコーダの要部構成を示すブロック図である。
【図２】本発明の一実施形態に係るリスト生成部によって生成される録画リストの一例を示す図である。
【図３】本発明の一実施形態に係るリスト生成部によってサムネイル一覧画像の重畳された録画リストの一例を示す図である。
【図４】本発明の一実施形態に係るリスト生成部によってサムネイル一覧画像の重畳された録画リストの他の一例を示す図である。
【図５】本発明の一実施形態に係る再生部によってサムネイル一覧画像の重畳された再生画面の一例を示す図である。
【図６】本発明の他の実施形態に係るレコーダの要部構成を示すブロック図である。
【図７】本発明の他の実施形態に係る再生部によってサムネイル一覧画像の重畳された再生画面の一例を示す図である。
【発明を実施するための形態】
【００１４】
＜実施形態１＞
本発明の一実施形態に係る録画再生装置について、図１から図５を参照して以下に説明する。但し、この実施形態に記載されている構成は、特に特定的な記載がない限り、この発明の範囲をそれのみに限定する趣旨ではなく、単なる説明例に過ぎない。
【００１５】
なお、本実施形態に係る録画再生装置はレコーダによって実現されているため、以降ではレコーダとも記載する。また、本実施形態では、動画像が放送番組である場合を例に挙げて説明する。
【００１６】
〔録画再生装置の構成〕
まず、本実施形態に係るレコーダについて、図１を参照して説明する。図１は、本実施形態に係るレコーダ１の要部構成を示すブロック図である。
【００１７】
図１に示すように、本実施形態に係るレコーダ１は、チューナ１０、制御部２０、メモリ３０、赤外線受光部４０、および、通信部５０を備えている。
【００１８】
（チューナ）
チューナ１０は、地上デジタル放送により放送される放送番組、および、衛星放送により放送される放送番組などを受信するためのチューナである。チューナ１０は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００１９】
チューナ１０により復調されたＭＰＥＧ２ストリームは、バスを介して制御部２０に供給される。
【００２０】
なお、チューナ１０は、異なるチャンネルを介して放送される２つの放送番組を受信可能なダブルチューナであってもよいし、３つ以上の放送番組を受信可能なマルチチューナであってもよい。
【００２１】
（制御部）
制御部２０は、レコーダ１の備える各部を統合的に制御する手段であり、例えば、ＣＰＵ（Central Processing Unit）などによって構成される。
【００２２】
制御部２０は、赤外線受光部４０を介してリモコン（不図示）から受信したリモコン信号に応じて、レコーダ１の備える各部を制御する。赤外線受光部４０を用いた制御としては、例えば、チューナ１０の受信チャンネルをリモコン信号に応じて切り替える制御や、メモリ３０に記録されている放送番組を外部へ出力する制御などを挙げることができる。なお、制御部２０の詳細については、後述する。
【００２３】
（メモリ）
メモリ３０は、読み出し可能かつ書き込み不能なメモリ（ＲＯＭ）、および、読み出し可能かつ書き込み可能なメモリ（ＲＡＭ）などから構成される。メモリ３０のＲＯＭには、制御部２０によって実行されるプログラムなどの固定データが格納される。一方、メモリ３０のＲＡＭには、制御部２０が演算のために参照するデータや、制御部２０が演算によって生成したデータなどの可変データが格納される。
【００２４】
また、メモリ３０は、図１に示すように、放送番組格納部３０１、および、サムネイル格納部３０２を備えている。放送番組格納部３０１には、チューナ１０を介して受信される放送番組が格納（録画）される。また、サムネイル格納部３０２は、制御部２０によって生成されるサムネイルが格納される。なお、放送番組格納部３０１、および、サムネイル格納部３０２は、メモリ３０のＲＡＭに設けられていればよい。
【００２５】
なお、メモリ３０の放送番組格納部３０１およびサムネイル格納部３０２は、例えば、レコーダ１に内蔵されているＨＤ（ハードディスク）ドライブ（不図示）などによって実現されていてもよいし、その実現方法は特に限定されない。例えば、レコーダ１の外部に接続されている（外付）ＨＤドライブによって実現されていてもよいし、レコーダ１に内蔵または外付されているＤＶＤドライブおよびＢＤドライブ（何れも不図示）などによって実現されていてもよい。
【００２６】
（赤外線受光部）
赤外線受光部４０は、リモコンから送信されるリモコン信号を受信する。また、赤外線受光部４０は、受信したリモコン信号を制御部２０に通知する。
【００２７】
（通信部）
通信部５０は、外部機器を接続するためのインターフェースである。ＨＤＭＩ（登録商標）（High-Definition Multimedia Interface）機器を接続可能なＨＤＭＩインターフェースを挙げることができる。レコーダ１に接続可能なＨＤＭＩ機器としては、テレビジョン受像機およびディスプレイ装置などの表示装置が代表的である。
【００２８】
なお、通信部５０は、ＨＤＭＩインターフェースに限定されない。すなわち、ＨＤＭＩインターフェースは、例えば、ＡＴＡ（Advanced Technology Attachment）、ＡＴＡＰＩ（ATA Packet Interface）、ＩＥＥＥ１３９４、ＵＳＢ（Universal Serial Bus）、および、ＬＡＮなどの有線接続用インターフェース、あるいは、ＷｉＦｉ（登録商標）、赤外線通信、ＴｒａｎｓｆｅｒＪｅｔ、Ｂｌｕｅｔｏｏｔｈ（登録商標）、および、ＩＥＥＥ８０２１１などの無線接続用インターフェースに置換することが可能である。
【００２９】
さらに、ＳＤカードが接続されている場合には、このＳＤカードを外部機器として利用してもよい。
【００３０】
〔制御部の構成〕
次に、本実施形態に係るレコーダ１の備える制御部２０の詳細について説明する。制御部２０は、図１に示すように、録画部２０１、サムネイル画像生成部（サムネイル画像生成手段）２０２、サムネイル一覧画像生成部（一覧画像生成手段）２０３、リスト生成部２０４、および、再生部（再生手段、重畳手段、リスト生成手段）２０５を備えている。
【００３１】
（録画部）
録画部２０１は、チューナ１０を介して受信した放送番組を、メモリ３０の有する放送番組格納部３０１に格納する（以降では、単に、放送番組を録画する、とも記載する）。なお、録画部２０１による放送番組の録画は、例えば、赤外線受光部４０を介してリモコンから入力されるユーザ指示、および、録画予約などに基づいて行わるが、特に限定されない。
【００３２】
また、録画部２０１は、放送番組の録画を開始すると同時に、放送番組の録画を開始する旨をサムネイル画像生成部２０２に通知する。また、録画部２０１は、放送番組の録画の終了と同時に、放送番組の録画を終了する旨をサムネイル画像生成部２０２に通知する。
【００３３】
以降では、放送番組格納部３０１に記録された放送番組を、録画番組とも記載する。
【００３４】
（サムネイル画像生成部）
サムネイル画像生成部２０２は、録画番組を複数の期間に分け、各期間に対応したサムネイル画像を生成する。また、サムネイル画像生成部２０２は、サムネイル画像を、録画部２０１による放送番組の録画と並列して（つまり、リアルタイムに）生成する。
【００３５】
具体的には、サムネイル画像生成部２０２は、録画部２０１から放送番組の録画を開始する旨の通知を取得すると、まず、録画の開始された放送番組を構成する最初のフレーム画像からサムネイル画像を生成する。次に、サムネイル画像生成部２０２は、所定の期間が経過する度に、所定の期間が経過した直後のフレーム画像を用いてサムネイル画像を順次生成する。そして、放送番組の録画を終了する旨の通知を取得すると、サムネイル画像生成部２０２は、サムネイル画像の生成を終了する。
【００３６】
例えば、所定の期間が例えば５分である場合には、録画が開始された時点を含め、５分毎にサムネイル画像が生成される。つまり、放送番組の放送時間が１５分間である場合には、放送番組の放送開始〜５分までの部分を示すサムネイル画像、５分〜１０分までの部分を示すサムネイル画像、および、１０分〜１５分までの部分を示すサムネイル画像の３つのサムネイル画像が生成される。
【００３７】
もちろん、上記所定の期間は特に限定されるものではなく、１０分であってもよいし、２分３０秒であってもよいし、ユーザによって適宜設定された期間であってもよい。
【００３８】
また、上記所定の期間を、ユーザによって適宜切り替える構成としてもよい。例えば、所定の期間として５分と２分３０秒とを切り替えるためのポップアップが表示されている状態で、ユーザがリモコンの備える黄色ボタン（不図示）を押下することにより、所定の期間が切り替えられる構成を採用することができる。これによって、ユーザは、サムネイル画像が生成される間隔を、任意に設定することができる。
【００３９】
また、サムネイル画像生成部２０２におけるサムネイル画像の生成タイミングは、所定の期間毎に限定されるものではない。例えば、サムネイル画像生成部２０２は、放送番組の本編映像と、当該放送番組の途中に挿入されているＣＭとが切り替わるタイミングでサムネイル画像を生成してもよい。また、サムネイル画像生成部２０２は、放送番組の本編映像についてのみ所定の期間毎にサムネイル画像を生成し、ＣＭについては１つのサムネイルのみを生成する構成としてもよい。
【００４０】
サムネイル画像生成部２０２は、生成したサムネイル画像を、録画番組の対応する部分と関連づけて、メモリ３０のサムネイル格納部３０２に格納する。
【００４１】
なお、本実施形態では、サムネイル画像生成部２０２がサムネイル画像をリアルタイムで生成する場合を例に挙げて説明したが、これに限定されるものではなく、放送番組の録画が全て完了した後にサムネイル画像を生成してもよい。
【００４２】
また、本実施形態では、サムネイル画像生成部２０２が、録画番組の各期間を構成するフレーム群のうち、最初のフレーム画像を用いてサムネイル画像を生成する場合を例に挙げて説明したが、これに限定されるものではない。サムネイル画像生成部２０２は、録画番組の各期間を構成するフレーム群のうち、何れのフレーム画像を用いてサムネイル画像を生成してもよい。
【００４３】
（サムネイル一覧画像生成部）
サムネイル一覧画像生成部２０３は、サムネイル画像生成部２０２によって生成されたサムネイル画像の全部又は一部を時間順に配列したサムネイル一覧画像を生成する。
【００４４】
サムネイル一覧画像生成部２０３は、サムネイル画像を一覧表示する旨のリモコン信号（一覧画像生成指示）を赤外線受光部４０を介して取得すると、サムネイル一覧画像を生成する。ここで、サムネイル一覧画像とは、サムネイル画像生成部２０２によって生成された１枚以上のサムネイル画像を時間順に配列して１枚の一覧画像としたものである。
【００４５】
本実施形態では、サムネイル一覧画像生成部２０３は、８枚のサムネイル画像からサムネイル一覧画像を生成する場合を例に挙げて説明するが、これに限定されるものではない。例えば、６枚のサムネイル画像からサムネイル一覧画像を生成してもよいし、１０枚のサムネイル画像からサムネイル一覧画像を生成してもよい。なお、サムネイル一覧画像の詳細については、図面を変えて後述する。
【００４６】
サムネイル一覧画像生成部２０３は、一覧画像生成指示を取得すると、サムネイル格納部３０２から時間順に８枚のサムネイル画像を取得する。次に、サムネイル一覧画像生成部２０３は、取得した８枚のサムネイルを時間順に配列し、サムネイル一覧画像を生成する。
【００４７】
このとき、サムネイル一覧画像生成部２０３は、８枚のサムネイル画像を左から順に時間順に配列すればよいが、これに限定されず、右から順に時間順に配列してもよいし、上から下へ時間順に配列してもよい。
【００４８】
また、サムネイル一覧画像生成部２０３は、サムネイル一覧画像を複数毎生成してもよい。
【００４９】
具体的には、Ｎ番目からＮ＋Ｍ番目までのＭ＋１枚（ＮおよびＭは１以上の整数）のサムネイル画像を時間順に配列した第１のサムネイル一覧画像を後述するリスト生成部２０４または再生部２０５において録画番組または録画リストに重畳している間に、サムネイル一覧画像生成部２０３は、Ｎ＋１番目からＮ＋Ｍ＋１番目までのＭ＋１枚のサムネイル画像を時間順に配列した第２のサムネイル一覧画像、および、Ｎ−１番目からＭ番目までのＭ＋１枚のサムネイル画像を時間順に配列した第３のサムネイル一覧画像の少なくとも何れかを生成する。
【００５０】
例えば、ある録画番組に関連付けられているサムネイル画像が１０枚ある場合、時間順に１〜８番目のサムネイル画像、２〜９番目のサムネイル画像、および、３〜１０番目のサムネイル画像のそれぞれからサムネイル一覧画像を生成してもよい。この場合には、３枚のサムネイル一覧画像が一度に生成されることになる。
【００５１】
サムネイル一覧画像生成部２０３は、生成したサムネイル一覧画像を、リスト生成部２０４および再生部２０５に供給する。
【００５２】
（リスト生成部）
リスト生成部２０４は、放送番組格納部３０１に格納された録画番組のタイトルの全部または一部を一覧表示するためのリスト（録画リストとも呼称する）を生成する。具体的には、リスト生成部２０４は、録画リストを表示する旨のリモコン信号を赤外線受光部４０を介して取得すると、放送番組格納部３０１に格納された録画番組のタイトルを全部または一部取得し、取得したタイトルを一覧表示可能な録画リストを生成する。リスト生成部２０４は、生成した録画リストを、通信部５０を介して出力する。
【００５３】
また、リスト生成部２０４は、録画リストに含まれる録画番組のタイトルから１つのタイトルを選択する旨のユーザ操作を示すリモコン信号を赤外線受光部４０を介して受け付ける。なお、１つのタイトルを選択する旨のユーザ操作は、例えば、リモコンの備えるポップアップキー（不図示）を押下することなどによって行われればよい。
【００５４】
具体的には、リスト生成部２０４は、まず録画リストに含まれる録画番組のタイトルの何れか（例えば、リストの先頭に表示されるタイトル）を、例えばハイライトなどによって強調した録画リストを生成する。次に、リスト生成部２０４は、ユーザがリモコンの十字キー（不図示）などを操作することによって、録画リストにおいて強調表示されるタイトルを選択するリモコン信号を、赤外線受光部４０を介して受信する。そして、リスト生成部２０４は、受信したリモコン信号によって選択されたタイトルを強調した録画リストを生成する。
【００５５】
さらに、リスト生成部２０４は、サムネイル一覧画像生成部２０３から供給されたサムネイル一覧画像を、当該リスト生成部２０４において生成した録画リストに重畳する。具体的には、録画リストにおいてユーザに選択されたタイトルの録画番組のサムネイル一覧画像をサムネイル一覧画像生成部２０３から取得し、録画リストにおいて選択されたタイトルの近傍にサムネイル一覧画像を重畳する。
【００５６】
また、リスト生成部２０４は、サムネイル一覧画像に含まれるサムネイル画像のうち、録画リストにおいて選択されたタイトルの録画番組が再生部２０５によって前回再生された際の再生終了位置の属する期間、または、当該期間に隣接する期間に対応するサムネイル画像を強調したサムネイル一覧画像を録画リストに重畳する。
【００５７】
リスト生成部２０４は、サムネイル一覧画像を重畳した録画リストを、通信部５０を介して出力する。
【００５８】
また、リスト生成部２０４は、録画リストに含まれる録画番組のタイトルのうち、何れかのタイトルを再生するかを示すリモコン信号を赤外線受光部４０を介して取得すると、取得したリモコン信号の示すタイトルを再生部２０５に通知する。また、リスト生成部２０４は、録画リストに重畳されたサムネイル一覧画像に含まれるサムネイル画像の何れかを選択するリモコン信号を赤外線受光部４０を介して取得すると、取得したリモコン信号の示すサムネイル画像を再生部２０５に通知する。
【００５９】
なお、本実施形態では、リスト生成部２０４が、録画リストにサムネイル一覧画像を重畳する構成を例に挙げて説明したが、サムネイル画像の全部または一部を直接録画リストに重畳する構成を採用してもよい。
【００６０】
（再生部）
再生部２０５は、録画番組を再生する。具体的には、再生部２０５は、メモリ３０の放送番組格納部３０１から録画番組を読み出し、読み出した録画番組を通信部５０を介して出力する。なお、再生部２０５によって再生される録画番組は、例えば、ユーザがリモコンを操作することにより、直接選択されてもよいし、リスト生成部２０４によって生成された録画リストまたは当該録画リストに重畳されたサムネイル一覧画像から選択されてもよい。
【００６１】
また、再生部２０５は、再生中の録画番組に、サムネイル一覧画像生成部２０３から供給されるサムネイル一覧画像を重畳する。具体的には、再生部２０５は、再生中の録画番組にサムネイル一覧画像を重畳する旨のリモコン信号を赤外線受光部４０を介して取得すると、再生中の録画番組に当該再生中の録画番組のサムネイル一覧画像を重畳する。
【００６２】
このとき、再生部２０５は、再生中の録画番組に重畳されたサムネイル一覧画像に含まれるサムネイル画像のうち、当該録画番組の再生中の期間に（再生位置の属する期間）対応したサムネイル画像を強調してもよい。
【００６３】
再生部２０５は、再生中の録画番組にサムネイル一覧画像を重畳し、通信部５０を介して出力する。
【００６４】
また、再生部２０５は、再生中の録画番組に重畳されているサムネイル一覧画像に含まれるサムネイル画像の何れかが、ユーザのリモコン操作によって選択された場合、選択されたサムネイル画像の対応する期間から当該録画番組の再生を再開する。
【００６５】
なお、本実施形態では、再生部２０５が、再生中の録画番組にサムネイル一覧画像を重畳する構成を例に挙げて説明したが、サムネイル画像の全部または一部を直接再生中の録画番組に重畳する構成を採用してもよい。
【００６６】
〔表示画面〕
次に、本実施形態に係るレコーダ１から出力される録画リスト、および、再生される録画番組の示す表示画面の一例について、図２から図５を参照して説明する。なお、レコーダ１から出力される録画リスト、および、再生される録画番組の示す表示画面は、通信部５０に接続される外部の表示装置（不図示）などに表示されることによって、ユーザに提示されればよい。
【００６７】
（録画リスト）
まず、制御部２０の備えるリスト生成部２０４によって生成される録画リストを示す表示画像（録画リストとも呼称する）の一例について、図２を参照して説明する。図２は、本実施形態に係るリスト生成部２０４によって生成される録画リストの一例を示す図である。
【００６８】
図２に示すように、録画リストには、放送番組格納部３０１に格納された録画番組のタイトルが一覧可能に表示される。なお、図２に示す録画リストでは、１８の録画番組のタイトルが一覧表示されているが、一覧表示されるタイトルの数はこれに限定されない。
【００６９】
また、放送番組格納部３０１に１９以上の録画番組が格納されている場合、リスト生成部２０４は、録画リストをリストの先頭から末尾に向かう方向（図２においてタイトル１からタイトル１８へ向かう方向）にスクロールすることにより、一覧表示されていなかった録画番組のタイトルが新たに表示される録画リストを生成してもよい。
【００７０】
また、リスト生成部２０４は、タイトル１〜１８の第１の録画リスト、タイトル２〜１９の第２の録画リスト、タイトル３〜２０の第３の録画リスト、というように、複数の録画リストを生成してもよい。この場合には、録画リストをリストの先頭から末尾に向かう方向にスクロールされる度に、レコーダ１から出力される録画リストが、第１の録画リスト、第２の録画リスト、第３の録画リストと、順次切り替れば良い。
【００７１】
また、図２の矢印Ａに示すように、録画リストに含まれるタイトルのうち、１つのタイトルが強調（フォーカス）して表示（強調表示）される。この強調表示されるタイトルは、ユーザがリモコンの十字キーやジョグダイヤルなど（何れも不図示）を操作することによって切り替えられればよい。なお、録画リストに含まれるタイトルの強調表示は、例えば、強調するタイトルをハイライトしたり、強調するタイトルを囲う枠を太枠にしたりすることによって行われればよいが、特に限定されるものではない。
【００７２】
（サムネイル一覧画像の重畳された録画リスト）
図２に示すように、例えば「タイトル６」が強調表示されている状態で、当該「タイトル６」の録画番組を選択する旨のユーザ操作によるリモコン信号を受信すると、リスト生成部２０４は、当該録画番組のサムネイル一覧画像を録画リストに重畳する。
【００７３】
サムネイル一覧画像の重畳された録画リストの一例について、図３を参照して説明する。図３は、本実施形態に係るリスト生成部２０４によってサムネイル一覧画像の重畳された録画リストの一例を示す図である。
【００７４】
図３の矢印Ｂに示すように、「タイトル６」の録画番組のサムネイル一覧画像は、「タイトル６」に隣接するように重畳される。図３に示す例では、サムネイル一覧画像は、「タイトル６」の下側に表示されている。
【００７５】
また、図３の矢印Ｂに示すように、サムネイル一覧画像には、複数のサムネイル画像ａ、カーソルｂ、タイムバーｃ、矢印ｄ、および、サムネイル情報ｅが含まれている。
【００７６】
図３に示すように、サムネイル一覧画像には、時間順に１番目のサムネイル画像ａ１から、８番目のサムネイル画像ａ８までの８枚のサムネイル画像ａが含まれている。また、図３に示すように、時間順に２番目のサムネイル画像をａ２、３番目のサムネイル画像をａ３とする。
【００７７】
カーソルｂは、サムネイル一覧画像に含まれるサムネイル画像のうち、強調（選択）されているサムネイル画像を示している。カーソルｂは、録画リストに重畳したサムネイル一覧画像の表示が開始された時点では、録画リストにおいて選択されているタイトルの録画番組が前回再生された際の再生終了位置の属する期間に対応したサムネイル画像を強調している。なお、カーソルｂは、録画リストにおいて選択されているタイトルの録画番組が一度も再生されていない場合には、サムネイル一覧画像に含まれるサムネイル画像のうち、時間順に先頭に配列されたサムネイル画像を強調すればよい。
【００７８】
また、カーソルｂは、矢印ｄに従ってリモコンの十字キーなどを押下するユーザ操作により、サムネイル一覧画像に含まれるサムネイル画像間を移動可能である。例えば、図３に示すように、サムネイル一覧画像においてサムネイル画像ａ２が選択されている状態で、ユーザによってリモコンの十字キーの右ボタンが押下されると、カーソルｂは、サムネイル画像ａ３に移動する。
【００７９】
タイムバーｃは、選択されたタイトルの録画番組全体の再生時間を示している。また、タイムバーｃ中のバーｃ１は、選択されたタイトルの録画番組全体の再生時間に対する、サムネイル一覧画像に含まれるサムネイル画像ａの対応する期間を合計した再生時間の締める割合を示している。
【００８０】
また、バーｃ１は、サムネイル一覧画像に含まれる複数のサムネイル画像ａが、録画リストにおいて選択されたタイトルの録画番組全体のうち、何れの期間に対応するサムネイル画像であるかによって、タイムバーｃ中を移動する。
【００８１】
サムネイル情報ｅは、サムネイル一覧画像に含まれるサムネイル画像ａのうち、カーソルｂによって選択されているサムネイル画像に関する情報を表示する。
【００８２】
サムネイル情報ｅは、カーソルｂによって選択されているサムネイル画像が、「タイトル６」の録画番組の全期間に対応して生成されたサムネイル画像のうち、先頭のサムネイル画像から時間順に何番目のサムネイル画像であるかを示している。図３に示す例では、「タイトル６」の録画番組に対応するサムネイル画像の総数が１８枚であり、カーソルｂによって選択されているサムネイル画像が、時間順に２番目のサムネイル画像であることを示している。
【００８３】
また、サムネイル情報ｅは、カーソルｂによって選択されているサムネイル画像ａの対応する期間の開始点が、録画番組の開始点から何分後であるかを示している。図３に示す例では、サムネイル情報ｅは、カーソルｂによって選択されているサムネイル画像ａの対応する期間の開始点が、録画番組の開始点から１分３０秒後であることを示している。
【００８４】
次に、図３に示すサムネイル一覧画像の一例において、サムネイル一覧画像に含まれるサムネイル画像が切り替るタイミングについて説明する。なお、上述したように、カーソルｂは、ユーザによるリモコン操作によって、サムネイル一覧画像に含まれるサムネイル画像間を移動することが可能である。
【００８５】
まず、ユーザが矢印ｄに従ってリモコンの右ボタンを複数回押下（または、押下した状態を所定時間以上維持する）ことにより、カーソルｂがサムネイル画像ａ２からサムネイル画像ａ８まで移動する。この状態で、ユーザによってさらにリモコンの右ボタンが押下されると、カーソルｂは、９番目のサムネイル画像に移動しようとする。
【００８６】
このとき、リスト生成部２０４が、録画リストに重畳するサムネイル一覧画像を、１〜８番目のサムネイル画像を含むサムネイル一覧画像から２〜９番目のサムネイル画像を含むサムネイル一覧画像に切り替える。これによって、カーソルｂは、９番目のサムネイル画像に移動することが可能となる。
【００８７】
また、上述のように、１〜８番目のサムネイル画像を含むサムネイル一覧画像が録画リストに重畳されている時点で、サムネイル一覧画像生成部２０３によって２〜９番目のサムネイル画像を含むサムネイル一覧画像も生成されている。したがって、サムネイル一覧画像の切り替えの処理に要する時間を短縮することがでるため、サムネイル一覧画像の切り替えをスムーズに行なうことができる。
【００８８】
これによって、レコーダ１は、再生中の録画番組に重畳するサムネイル一覧画像を切り替える場合に、すでに生成されているサムネイル一覧画像を用いて切り替えることができる。従って、再生中の録画番組に重畳するサムネイル一覧画像を切り替える際に新たにサムネイル一覧画像を生成する必要がないため、レコーダ１は、再生中の録画番組に重畳するサムネイル一覧画像の切り替えに関する処理に要する時間を短縮することができる。
【００８９】
また、録画番組の分けられた期間のうち、最後の期間に対応するサムネイル画像が含まれるサムネイル一覧画像が表示されており、かつ、カーソルｂが時間順に最後のサムネイル画像を強調している状態で、ユーザによってリモコンの右ボタンが押下された場合には、例えば、当該最後の期間に対応するサムネイル画像の右側に、空白の領域を表示したのち、元の表示に戻るような表示処理をおこなってもよい。
【００９０】
なお、図３に示すように、サムネイル一覧画像は、選択されたタイトルの下側に、当該選択されたタイトルに隣接するように重畳して表示される場合を例に挙げて説明したが、これに限定されるものではない。例えば、図４に示すように、サムネイル一覧画像を、選択されたタイトルの上側に、当該選択されたタイトルに隣接するように重畳して表示してもよい。図４は、本実施形態に係るリスト生成部２０４によってサムネイル一覧画像の重畳された録画リストの他の一例を示す図である。
【００９１】
選択されたタイトルの下側にサムネイル一覧画像を重畳して表示できない（例えば、サムネイル一覧画像を表示するスペースがない）場合に、図４に示すように、サムネイル一覧画像を選択されたタイトルの上側に重畳して表示すればよい。また、選択されたタイトルの上側にサムネイル一覧画像を重畳して表示できない場合に限って、図３に示すように、サムネイル一覧画像を選択されたタイトルの下側に重畳して表示する構成を採用してもよい。
【００９２】
上述の構成によれば、レコーダ１は、サムネイル一覧画像を表示するために、録画リストを表示領域全体に表示している状態から、表示領域を録画リスト用と上記サムネイル一覧画像用とに分割した状態へ遷移する必要がない。また、録画リストの表示画面の大きさを縮小することによるユーザの視認性の低下を招くこともない。
【００９３】
これによって、レコーダ１は、録画リストの表示を一時的に中断することなく、また、当該録画リストの視認性の低下を抑えつつ、サムネイル一覧画像をユーザに提示することができる。
【００９４】
また、上述の構成によれば、リスト生成部２０４は、サムネイル一覧画像に含まれるサムネイル画像のうち、再生部２０５によって前回再生された際の再生終了位置の属する期間、または、当該期間に隣接する期間に対応したサムネイル画像を強調する。したがって、ユーザは、再生しようとしている録画番組を前回どの再生位置まで再生したかを容易に認識することができるため、当該録画番組を前回の続きから容易に再生させることができる。これによって、レコーダ１は、ユーザの操作性をさらに向上させることができる。
【００９５】
（再生画面）
次に、録画番組の再生画面の表示について説明する。
【００９６】
図３に示すように、録画リストに重畳されたサムネイル一覧画像に含まれる何れかのサムネイル画像が選択されると、選択されたサムネイル画像の対応する期間の先頭から、録画番組の再生が開始される。
【００９７】
もちろん、録画リストにサムネイル一覧画像を重畳して表示することなく、録画リストから再生用の録画番組が直接選択された場合にも、録画番組の再生が開始される。この場合には、選択された録画番組を最初から再生してもよいし、前回再生された際の再生終了位置から再生されてもよいし、特に限定されない。
【００９８】
（サムネイル一覧画像の重畳された再生画面）
次に、サムネイル一覧画像の重畳された、録画番組の再生画面の一例について、図５を参照して説明する。図５は、本実施形態に係る再生部２０５によってサムネイル一覧画像の重畳された再生画面の一例を示す図である。
【００９９】
録画番組が再生されている状態で、サムネイル一覧画像を表示する旨のリモコン信号を赤外線受光部４０を介して受信すると、再生部２０５は、図５に示すように、サムネイル一覧画像を重畳した状態で録画番組を再生する。
【０１００】
このとき、図５に示すように、再生画面に重畳されるサムネイル一覧画像は、例えば、表示画面の下方の領域に表示されることが好ましい。ただし、サムネイル一覧画像の表示位置は、これに限定されるものではなく、表示画面の上方であってもよいし、右方であってもよいし、左方であってもよい。つまり、サムネイル一覧画像の表示位置は、再生されている録画番組の内容に合わせて表示位置が変更可能である。さらに、サムネイル一覧画像の表示位置が、ユーザのリモコン操作によって変更可能な構成を採用してもよい。
【０１０１】
図５の矢印Ｂに示すように、サムネイル一覧画像には、複数のサムネイル画像ａ、カーソルｂ、タイムバーｃ、バーｃ１、矢印ｄ、および、サムネイル情報ｅが含まれている。
【０１０２】
図５に示すように、サムネイル一覧画像には、時間順に１番目のサムネイル画像ａ１から、８番目のサムネイル画像ａ８までの８枚のサムネイル画像ａが含まれている。
【０１０３】
カーソルｂは、サムネイル一覧画像に含まれるサムネイル画像のうち、当該サムネイル一覧画像が重畳されている放送番組の再生中の期間に対応したサムネイル画像を強調する。図５に示す例では、カーソルｂは、レコーダ１の再生部２０５によって再生中の録画番組の再生位置が、サムネイル画像ａ２に対応した期間に属していることを示している。
【０１０４】
また、カーソルｂは、再生部２０５によって再生中の録画番組の再生位置の進行に合わせて、サムネイル一覧画像に含まれるサムネイル画像ａ間を自動的に移動してもよい。例えば、再生中の録画番組の再生位置の属する期間が、サムネイル画像ａ２に対応する期間からサムネイル画像ａ３に対応する期間に遷移した場合には、カーソルｂは、サムネイル画像ａ２からサムネイル画像ａ３に自動的に移動する構成としてもよい。
【０１０５】
なお、サムネイル一覧画像に含まれる、タイムバーｃ、矢印ｄ、および、サムネイル情報ｅについては、図３に示すサムネイル一覧画像に含まれるタイムバーｃ、バーｃ１、矢印ｄ、および、サムネイル情報ｅと同様の機能を有するため、その説明を省略する。
【０１０６】
これによって、レコーダ１は、サムネイル画像を一覧可能に表示するために、再生中の録画番組を表示領域全体に表示している状態から、表示領域を録画番組用と上記サムネイル一覧画像用とに分割した状態へ遷移する必要がない。また、録画番組の再生画面の大きさを縮小することによるユーザの視認性の低下を招くこともない。
【０１０７】
これによって、上記録画再生手段は、録画番組の再生を一時的に中断することなく、また、当該録画番組の視認性の低下を抑えつつ、サムネイル画像を一覧可能にユーザに提示することができる。
【０１０８】
さらに、ユーザは、録画番組を視聴しつつ、サムネイル一覧画像を確認することができるため、例えば、サムネイル一覧画像に含まれるサムネイル画像のうち、所望のシーンに最も近いサムネイル画像を選択することによって所望のシーンを再生することができる。これによって、レコーダ１は、録画番組の視認性の低下を抑えつつも、所望のシーンを再生するためのユーザの操作性を向上させることができる。
【０１０９】
なお、本実施形態では、動画像が放送番組である場合を例に挙げて説明したが、これに限定されるものではなく、例えば、インターネットなどのネットワークを介して配信される配信番組などであってもよい。
【０１１０】
＜実施形態２＞
実施形態１では、レコーダ１が録画リスト、及び、録画番組の再生画面にサムネイル一覧画像を重畳して表示する構成を例に挙げて説明したが、本発明はこれに限定されるものではない。例えば、再生画面において、サムネイル一覧画像に含まれるサムネイルのうちカーソルにより選択（強調）されているサムネイルに対応する録画番組の一部分（シーン）を再生する構成を採用してもよい。
【０１１１】
〔レコーダの構成〕
本実施形態に係るレコーダ２について、図６及び図７を参照して説明する。図６は、本実施形態に係るレコーダ２の要部構成を示すブロック図である。
【０１１２】
図６に示すように、本実施形態に係るレコーダ２は、実施形態１に係るレコーダ１の構成（図１参照）に加え、再生時間位置制御部２０６をさらに備えている。また、本実施形態に係るレコーダ２は、レコーダ１の備える再生部２０５に変えて、再生部２０５’を備えている。
【０１１３】
（再生部）
再生部２０５’は、再生部２０５は、メモリ３０の放送番組格納部３０１から録画番組を読み出し、読み出した録画番組を通信部５０を介して出力する。
【０１１４】
また、再生部２０５’は、後述する再生時間位置制御部２０６からの指示に従い、サムネイル一覧画像に含まれるサムネイル画像のうち、カーソルにより選択されているサムネイル画像に対応する位置から録画番組を再生する。放送番組のうちサムネイル画像に対応する位置は、例えば、録画番組を構成する複数のフレーム画像のうち、サムネイル画像のサムネイル画像生成部２０２において生成されるサムネイル画像の元となるフレーム画像（サムネイル元画像）であればよい。また、放送番組のうちサムネイル画像に対応する位置は、サムネイル元画像よりも前のフレーム画像であってもよいし、本発明では特に限定されるものではない。
【０１１５】
（再生時間位置制御部）
再生時間位置制御部２０６は、再生部２０５’における、録画番組の再生開始位置を制御する。具体的には、再生時間位置制御部２０６は、録画番組を、サムネイル一覧画像に含まれるサムネイル画像のうちカーソルにより選択されているサムネイル画像に対応する位置から再生を開始するよう、再生部２０５’に通知する。
【０１１６】
また、再生時間位置制御部２０６は、再生部２０５’における、録画番組の再生時間を制御する。具体的には、再生時間位置制御部２０６は、或る再生開始位置からの再生が開始されてから所定の時間が経過すると、サムネイル一覧画像に含まれるカーソルを現在選択しているサムネイル画像から時間順に次のサムネイル画像に移動させるよう再生部２０５’に通知する。
【０１１７】
〔再生画面の一例〕
次に、ダイジェスト再生について、図７を参照して説明する。図７は、本実施形態に係る再生部２０５’によってサムネイル一覧画像の重畳された再生画面の一例を示す図である。
【０１１８】
録画番組の再生が開始されている状態で、サムネイル一覧画像を表示する旨のリモコン信号を赤外線受光部４０を介して受信すると、再生部２０５’は、図７に示すように、再生している録画番組に重畳してサムネイル一覧画像を表示する。図７に示すように、サムネイル一覧画像にはカーソルｂが含まれており、当該カーソルｂは、ユーザのリモコン操作により、サムネイル一覧画像に含まれるサムネイル画像間（つまり、サムネイル画像が表示されている領域間）を移動可能である。
【０１１９】
（ダイジェスト再生）
まず、赤外線受光部４０は、ダイジェスト再生指示を受信すると、受信したリモコン信号を再生時間位置制御部２０６に供給する。
【０１２０】
再生時間位置制御部２０６は、ダイジェスト再生指示を取得すると、サムネイル一覧画像に含まれるサムネイル画像のうちカーソルｂにより選択されているサムネイル画像（図７ではサムネイル画像ｆ）に対応する再生開始位置から録画番組を再生するよう、再生部２０５’を制御する。
【０１２１】
また、再生時間位置制御部２０６は、再生部２０５’により或る再生開始位置からの録画番組の再生が開始されると、録画番組の再生開始から所定の時間が経過したか否かを判定する。
【０１２２】
再生時間位置制御部２０６は、所定の時間が経過したと判定した場合、サムネイル一覧画像に含まれるカーソルｂを、現在選択されているサムネイル画像から時間順に次のサムネイル画像に移動させるよう、再生部２０５’を制御する。そして、再生時間位置制御部２０６は、カーソルｂにより新たに選択されたサムネイル画像に対応する再生開始位置から録画番組を再生するよう、再生部２０５’を制御する。
【０１２３】
再生部２０５’により或る再生開始位置の次の再生開始位置からの録画番組の再生が開始されると、再生時間位置制御部２０６は、また、録画番組の再生開始から所定の時間が経過したか否かを判定する。
【０１２４】
上述のようにして、再生時間位置制御部２０６は、再生部２０５’においてカーソルｂにより選択されているサムネイル画像に対応する再生開始位置から録画番組の再生が開始された時点から所定の時間が経過する度に、カーソルｂを現在選択されているサムネイル画像から他のサムネイル画像に移動させる。そして、再生部２０５’は、カーソルｂが移動する度に、再生時間位置制御部２０６からの指示に従い、カーソルｂにより選択されているサムネイル画像に対応する再生開始位置から録画番組を再生する。
【０１２５】
これにより、本実施形態に係るレコーダ２は、録画番組を一部分ずつ順次再生することにより、録画番組をダイジェストで再生することができる（ダイジェスト再生）。したがって、本実施形態に係るレコーダ２は、ユーザに対して、録画番組のダイジェストを提示することができる。また、ユーザは、録画番組のダイジェストを見ることによって、自分が所望するシーンがどのシーンであるかを、より容易に把握することができる。
【０１２６】
そして、再生部２０５’は、録画番組をダイジェスト再生している途中で、リモコンの決定ボタンの押下などによって指示されるユーザの決定指示を赤外線受光部４０を介して取得した場合には、ダイジェスト再生を停止し、決定指示を受け付けた時点から録画番組を通常再生する。
【０１２７】
また、再生部２０５’は、決定指示を受け付けた時点から録画番組を通常再生する代わりに、決定指示を受け付けたシーンの直前の再生開始位置から録画番組を通常再生してもよい。
【０１２８】
なお、本実施形態では、ダイジェスト再生される録画番組を再生画面の全体に表示する構成を例に挙げて説明しているが、本発明に係るダイジェスト再生はこれに限定されるものではない。例えば、再生画面に重畳されるサムネイル一覧画像において、サムネイル画像が表示される領域であってカーソルｂにより選択されている領域に、当該領域に表示されていたサムネイル画像に対応する再生開始位置から放送番組が再生される構成を採用してもよい。
【０１２９】
この構成によれば、レコーダ２は、録画番組を再生しつつ、サムネイル一覧画像において当該録画番組を各サムネイル画像に対応する各再生開始位置から順次再生することができる（つまり、録画番組をサムネイル一覧画像においてダイジェスト再生することができる）。したがって、レコーダ２は、録画番組の再生を一時的に中断することなく、また、当該録画番組の視認性の低下を抑えつつ、サムネイル画像を一覧可能にユーザに提示するとともに、各サムネイル画像に関連付けられている部分録画番組をダイジェストで再生ことができる。
【０１３０】
〔まとめ〕
本発明の一態様に係る録画再生装置（レコーダ１）は、上述したように、動画像（放送番組）を録画する録画手段（録画部２０１）と、上記録画手段によって録画される動画像を複数の期間に分け、各期間に対応したサムネイル画像を生成するサムネイル画像生成手段（サムネイル画像生成部２０２）と、上記録画手段によって録画された動画像（録画番組）を再生する再生手段（再生部２０５）と、上記再生手段によって再生中の動画像に、上記サムネイル画像生成手段により生成された上記サムネイル画像を重畳する重畳手段（リスト生成部２０４、再生部２０５）と、を備えている。
【０１３１】
また、本発明の一態様に係る録画再生方法は、上述したように、録画再生装置の録画再生方法であって、動画像を録画する録画ステップと、上記録画ステップにおいて録画される動画像を複数の期間に分け、各期間に対応したサムネイル画像を生成するサムネイル画像生成ステップと、上記録画ステップにおいて録画された動画像を再生する再生ステップと、上記再生ステップにおいて再生中の動画像に、上記サムネイル画像生成ステップにおいて生成された上記サムネイル画像を重畳する重畳ステップと、を含んでいる。
【０１３２】
上記の構成によれば、上記重畳手段は、上記再生手段によって再生中の動画像に上記サムネイル画像を重畳する。つまり、上記録画再生装置は、上記サムネイル画像の重畳された動画像を、例えば外部に接続された表示装置などを介してユーザに提示することができる。
【０１３３】
したがって、上記録画再生装置は、上記サムネイル画像を表示するために、上記再生中の動画像を表示領域全体に表示している状態から、表示領域を上記動画像用と上記サムネイル画像用とに分割した状態へ遷移する必要がない。また、表示領域を上記動画像用と上記サムネイル画像用とに分割する必要がないことから、上記動画像の再生画面の大きさを縮小することによるユーザの視認性の低下を招くこともない。
【０１３４】
これによって、上記録画再生手段は、上記動画像の再生を一時的に中断することなく、また、当該動画像の視認性の低下を抑えつつ、上記サムネイル画像をユーザに提示することができる。
【０１３５】
さらに、ユーザは、上記動画像を視聴しつつ、上記サムネイル画像を確認することができ、所望のシーンに最も近い上記サムネイル画像を選択することによって所望のシーンを再生することができる。これによって、上記録画再生装置は、当該動画像の視認性の低下を抑えつつも、所望のシーンを再生するためのユーザの操作性を向上させることができる。
【０１３６】
本発明の一態様に係る録画再生装置は、さらに、上記サムネイル画像生成手段によって生成されたサムネイル画像の全部又は一部を時間順に配列したサムネイル一覧画像を生成する一覧画像生成手段（サムネイル一覧画像生成部２０３）をさらに備え、上記重畳手段は、上記再生手段によって再生される動画像に、上記一覧画像生成手段により生成された上記サムネイル一覧画像を重畳してもよい。
【０１３７】
上記の構成によれば、上記重畳手段は、上記再生中の動画像に重畳するサムネイル画像として、上記一覧画像生成手段によって生成されたサムネイル一覧画像を重畳する。また、このサムネイル一覧画像には、上記サムネイル画像の全部又は一部が時間順に配列されている。
【０１３８】
これによって、上記録画再生装置は、上記サムネイル画像を一覧可能なようにユーザに提示することができる。このため、上記録画再生装置は、所望のシーンを再生するためのユーザの操作性をさらに向上させることができる。
【０１３９】
本発明の一態様に係る録画再生装置において、上記重畳手段は、上記再生手段によって再生中の動画像に重畳される上記サムネイル一覧画像に含まれるサムネイル画像のうち、当該動画像の再生中の期間に対応したサムネイル画像を強調してもよい。
【０１４０】
上記の構成によれば、上記録画再生装置は、上記再生中の動画像の再生位置が、上記サムネイル一覧画像に含まれる何れのサムネイル画像の対応する期間に属しているかを、ユーザに提示することができる。このため、上記録画再生装置は、所望のシーンを再生するためのユーザの操作性をさらに向上させることができる。
【０１４１】
本発明の一態様に係る録画再生装置において、上記重畳手段が、Ｎ番目からＮ＋Ｍ番目までのＭ＋１枚（ＮおよびＭは１以上の整数）のサムネイル画像を時間順に配列した第１のサムネイル一覧画像を上記動画像に重畳している間に、上記一覧画像生成手段は、Ｎ＋１番目からＮ＋Ｍ＋１番目までのＭ＋１枚のサムネイル画像を時間順に配列した第２のサムネイル一覧画像、および、Ｎ−１番目からＭ番目までのＭ＋１枚のサムネイル画像を時間順に配列した第３のサムネイル一覧画像の何れか一方または両方を生成してもよい。
【０１４２】
上記の構成によれば、上記一覧画像生成手段は、上記第１のサムネイル一覧画像を上記動画像に重畳している間に、上記第２のサムネイル一覧画像および上記第３のサムネイル一覧画像の少なくとも何れかを生成する。
【０１４３】
これによって、上記録画再生装置は、上記動画像に重畳するサムネイル一覧画像を上記第１のサムネイル一覧画像から切り替える場合に、すでに生成されている上記第２のサムネイル一覧画像または上記第３のサムネイルを用いて切り替えることができる。このため、上記動画像に重畳するサムネイル一覧画像を切り替える際に新たにサムネイル一覧画像を生成する必要がない。従って、上記録画再生装置は、上記動画像に重畳するサムネイル一覧画像の切り替えに関する処理に要する時間を短縮することができる。
【０１４４】
本発明の一態様に係る録画再生装置は、上記録画手段によって録画された動画像の全部又は一部を一覧表示するための録画リストを生成するリスト生成手段（リスト生成部２０４）をさらに備え、上記重畳手段（リスト生成部２０４、再生部２０５）は、上記一覧画像生成手段によって生成された、上記リスト生成手段によって生成された録画リストにおいて選択された動画像から生成されたサムネイル画像の全部または一部を時間順に配列したサムネイル一覧画像を、当該録画リストに重畳すると共に、上記サムネイル一覧画像に含まれるサムネイル画像のうち、上記録画リストにおいて選択された動画像が上記再生手段によって前回再生された際の再生終了位置の属する期間、または、当該期間に隣接する期間に対応したサムネイル画像を強調してもよい。
【０１４５】
上記の構成によれば、上記録画再生装置は、上記サムネイル一覧画像を表示するために、上記録画リストを表示領域全体に表示している状態から、表示領域を上記録画リスト用と上記サムネイル一覧画像用とに分割した状態へ遷移する必要がない。また、上記録画リストの表示画面の大きさを縮小することによるユーザの視認性の低下を招くこともない。
【０１４６】
これによって、上記録画再生手段は、上記録画リストの表示を一時的に中断することなく、また、当該録画リストの視認性の低下を抑えつつ、上記サムネイル一覧画像をユーザに提示することができる。
【０１４７】
また、上記の構成によれば、上記重畳手段は、上記サムネイル一覧画像に含まれるサムネイル画像のうち、上記動画像が上記再生手段によって前回再生された際の再生終了位置の属する期間、または、当該期間に隣接する期間に対応したサムネイル画像を強調する。
【０１４８】
したがって、ユーザは、上記動画像を前回どの再生位置まで再生したかを容易に認識することができるため、当該動画像を前回の続きから容易に再生させることができる。これによって、上記録画再生装置は、ユーザの操作性をさらに向上させることができる。
【０１４９】
本発明の一態様に係る録画再生装置において、上記サムネイル画像生成手段は、上記サムネイル画像の生成を、上記録画手段による上記動画像の録画と並列して実行してもよい。
【０１５０】
上記の構成によれば、上記サムネイル画像生成手段は、上記録画手段による動画像の録画と並列して上記サムネイル画像を生成する。したがって、上記録画再生装置は、上記動画像全体の録画が完了していない場合でも、録画が完了している部分については、当該動画像を再生する際に、録画が完了している部分の期間に対応したサムネイル画像を重畳して表示することができる。
【０１５１】
これによって、ユーザは、上記動画像を録画しつつ視聴している場合にも、当該動画像のうち録画が完了している部分の期間に対応したサムネイル画像を確認することができる。したがって、ユーザは、録画中の動画像であっても、すでに録画された部分に所望のシーンが含まれている場合には、動画像の録画が完了する前に所望のシーンを視聴することができる。
【０１５２】
また、本発明の一態様に係る録画再生装置としてコンピュータを動作させるためのプログラムであって、上記コンピュータを上記の各手段として機能させるプログラム、および、このようなプログラムが記録されているコンピュータ読み取り可能な記録媒体もまた、本発明の範疇に含まれる。
【０１５３】
本発明の一態様にかかる録画再生装置（レコーダ１）は、上述したように、動画像（放送番組）を録画する録画手段（録画部２０１）と、上記録画手段によって録画される動画像を複数の期間に分け、各期間に対応したサムネイル画像を生成するサムネイル画像生成手段（サムネイル画像生成部２０２）と、上記サムネイル画像生成手段によって生成されたサムネイル画像の全部又は一部を時間順に配列したサムネイル一覧画像を生成する一覧画像生成手段（サムネイル一覧画像生成部２０３）と、上記録画手段によって録画された動画像（録画番組）を再生する再生手段と、上記録画手段によって録画された動画像の全部又は一部を一覧表示するための録画リストを生成するリスト生成手段（リスト生成部２０４）と、上記リスト生成手段によって生成された録画リストにおいて選択された動画像から生成されたサムネイル画像の全部または一部を時間順に配列したサムネイル一覧画像を、当該録画リストに重畳する重畳手段（リスト生成部２０４）と、を備え、上記重畳手段は、上記サムネイル一覧画像に含まれるサムネイル画像のうち、上記録画リストにおいて選択された動画像が上記再生手段によって前回再生された際の再生終了位置の属する期間、または、当該期間に隣接する期間に対応したサムネイル画像を強調する。
【０１５４】
これに対し、上記の構成によれば、上記一覧画像生成手段は、上記リスト生成手段によって生成された録画リストにおいて選択された動画像から生成されたサムネイル画像からサムネイル一覧画像を生成する。また、上記重畳手段は、上記録画リストに、当該録画リストにおいて選択された動画像から上記一覧画像生成手段により生成されたサムネイル一覧画像を重畳する。
【０１５５】
したがって、上記録画再生装置は、上記サムネイル一覧画像を表示するために、上記録画リストを表示領域全体に表示している状態から、表示領域を上記録画リスト用と上記サムネイル一覧画像用とに分割した状態へ遷移する必要がない。また、上記録画リストの表示画面の大きさを縮小することによるユーザの視認性の低下を招くこともない。
【０１５６】
これによって、上記録画再生手段は、上記録画リストの表示を一時的に中断することなく、また、当該録画リストの視認性の低下を抑えつつ、上記サムネイル一覧画像をユーザに提示することができる。
【０１５７】
また、上記の構成によれば、上記重畳手段は、上記サムネイル一覧画像に含まれるサムネイル画像のうち、上記動画像が上記再生手段によって前回再生された際の再生終了位置の属する期間、または、当該期間に隣接する期間に対応したサムネイル画像を強調する。
【０１５８】
したがって、ユーザは、上記動画像を前回どの再生位置まで再生したかを容易に認識することができるため、当該動画像を前回の続きから容易に再生させることができる。これによって、上記録画再生装置は、ユーザの操作性をさらに向上させることができる。
【０１５９】
また、本発明の一態様に係る録画再生装置（レコーダ２）において、上記再生手段（再生部２０５’、再生時間位置制御部２０６）は、上記サムネイル一覧画像に含まれるサムネイル画像のうち、強調されているサムネイル画像に対応する位置（再生開始位置）から上記動画像を所定の時間だけ再生してもよい。
【０１６０】
上記の構成によれば、上記録画再生装置は、上記サムネイル画像を一覧可能にユーザに提示するとともに、強調されているサムネイル画像に対応する上記動画像の一部分（シーン）を、上記所定の時間だけ再生することができる。これにより、ユーザは、強調されているサムネイル画像に対応するシーンがどのシーンであるかを容易に把握することができる。また、ユーザは、所望のシーンを見るために、何れのサムネイル画像を選択すればよいかを容易に把握することができる。
【０１６１】
また、本発明の一態様に係る録画再生装置において、上記重畳手段は、上記再生手段による上記動画像の上記強調されているサムネイル画像に対応する位置からの再生が所定の時間行われる度に、上記サムネイル一覧画像において強調されるサムネイル画像を変更してもよい。
【０１６２】
上記の構成によれば、上記所定の時間が経過する度に上記重畳手段によって強調されるサムネイル画像が変更される。これによって、上記再生手段は、上記所定の時間が経過する度に、上記強調されているサムネイル画像に対応する上記動画像の一部分を順次再生（ダイジェスト再生）することができる。
【０１６３】
これによって、ユーザは、上記動画像を所定の時間ずつ順次見ることができる。したがって、ユーザは、再生中の録画番組において、見たいシーンがどのシーンであるかを更に容易に把握することができる。また、ユーザは、所望のシーンを見るために、何れのサムネイル画像を選択すればよいかを更に容易に把握することができる。
【０１６４】
〔ソフトウェアによる実現例〕
最後に、レコーダ１の各ブロック、特にレコーダ１の備える制御部２０は、集積回路（ＩＣチップ）上に形成された論理回路によってハードウェア的に実現してもよいし、ＣＰＵ（Central Processing Unit）を用いてソフトウェア的に実現してもよい。
【０１６５】
後者の場合、レコーダ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるレコーダ１の制御プログラムのプログラムコード（実行形式プログラム、中間コードプログラム、ソースプログラム）をコンピュータで読み取り可能に記録した記録媒体を、上記レコーダ１に供給し、そのコンピュータ（またはＣＰＵやＭＰＵ）が記録媒体に記録されているプログラムコードを読み出し実行することによっても、達成可能である。
【０１６６】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１６７】
また、レコーダ１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（登録商標）（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６８】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０１６９】
本発明の録画再生装置は、ＤＶＤレコーダ、ＢＤレコーダおよびＨＤレコーダ、並びに、動画像を録画可能なメモリを有するテレビジョン受像機、電子黒板および電子看板などに好適に適用することができる。
【符号の説明】
【０１７０】
１                レコーダ（録画再生装置）
１０              チューナ
２０              制御部
３０              メモリ
４０              赤外線受光部
５０              通信部
２０１            録画部（録画手段）
２０２            サムネイル画像生成部（サムネイル画像生成手段）
２０３            サムネイル一覧画像生成部（一覧画像生成手段）
２０４            リスト生成部（リスト生成手段、重畳手段）
２０５、２０５’  再生部（再生手段、重畳手段）
２０６            再生時間位置制御部（再生手段）
３０１            放送番組格納部
３０２            サムネイル格納部
【図１】
2014096786.tif 000003
【図２】
2014096786.tif 000004
【図３】
2014096786.tif 000005
【図４】
2014096786.tif 000006
【図５】
2014096786.tif 000007
【図６】
2014096786.tif 000008
【図７】
2014096786.tif 000009